(57)【特許請求の範囲】
【請求項１】
接ぎ木後の接ぎ苗を活着促進させるための好適環境を保つ接ぎ苗順化装置において、順化装置の壁面を外壁１と内壁２との二重壁で構成し、二重壁間の空間に冷却手段と加熱手段と該両手段で得られる冷房空気または暖房空気を前記空間内を循環させるファン１３を配置し、内壁２の内側に形成される接ぎ苗収納用の内室１９には微細液滴を噴霧して接ぎ苗の加湿を行う加湿器１６を設けて、冷暖房空気の循環する外壁１と内壁２との間の空調空間と加湿器１６によって加湿される内壁２の内側の加湿空間とを隔壁により隔てた構成とし、加湿器１６による加湿用の液滴を配管１８を介して供給して内室１９の天井近くに配置したスプレノズル１７とそれよりも下方に配置したスプレノズル１７から噴霧させる構成としたことを特徴とする接ぎ苗順化装置。
【発明の詳細な説明】
【０００１】
【産業上の利用分野】
本発明は接ぎ木後の接ぎ苗を活着促進させて順化させる接ぎ苗順化装置に関し、特に順化装置内の接ぎ苗活着促進に最適な環境を保つための空調装置を備えた接ぎ苗順化装置に関する。
【０００２】
【従来の技術】
接ぎ苗順化装置内はその内部に収納された接ぎ苗の活着を促進させるために、順化装置内の空間に冷却空気、加熱空気、加湿空気をそれぞれ供給して、順化装置内の雰囲気温度と湿度を調節することが行われている。加湿空気は加湿器から水滴を霧状にして噴霧して、これを前記冷却空気および／または加熱空気により加湿空気とするものである。
【０００３】
【発明が解決しようとする課題】
しかし、従来の接ぎ苗の順化装置には加湿空気を冷暖房空気と共に接ぎ苗の収納されている順化室内に供給するので、冷暖房空気に加湿空気が同伴され、室内での湿度ムラが生じ易くなる。また、冷暖房空気により加湿空気が除湿されて接ぎ苗の順化に必要な高い湿度が維持できないことがあった。そこで、本発明の目的は順化室内での湿度ムラがなく、冷暖房空気により加湿空気が除湿されることなく、高湿度を維持できる順化装置を提供することである。また、本発明の目的は接ぎ苗の活着を促進させることができる順化装置を提供することである。
【０００４】
【課題を解決するための手段】
本発明の上記目的は次の構成によって達成される。すなわち、接ぎ木後の接ぎ苗を活着促進させるための好適環境を保つ接ぎ苗順化装置において、順化装置の壁面を外壁１と内壁２との二重壁で構成し、二重壁間の空間に冷却手段と加熱手段と該両手段で得られる冷房空気または暖房空気を前記空間内を循環させるファン１３を配置し、内壁２の内側に形成される接ぎ苗収納用の内室１９には微細液滴を噴霧して接ぎ苗の加湿を行う加湿器１６を設けて、冷暖房空気の循環する外壁１と内壁２との間の空調空間と加湿器１６によって加湿される内壁２の内側の加湿空間とを隔壁により隔てた構成とし、加湿器１６による加湿用の液滴を配管１８を介して供給して内室１９の天井近くに配置したスプレノズル１７とそれよりも下方に配置したスプレノズル１７から噴霧させる構成としたことを特徴とする接ぎ苗順化装置である。
【０００５】
【作用】
本発明の接ぎ苗順化装置は、外壁１と内壁２との間の二重壁間の空間にのみ冷却空気または暖房空気を循環させるので、接ぎ苗が収納された内壁２の内側の内室１９内には冷暖房空気が循環することはない。したがって内室１９内に供給される加湿空気が冷暖房空気により除湿される恐れはなく、接ぎ苗の活着に必要な高い湿度が維持できる。また、内室１９内に冷暖房空気流が入り込まず、更に、内室１９内全体に配管１８を介して加湿用の液滴が供給されるので、局所的に湿度差が生じることもなくなる。こうして内室１９内を接ぎ木後の接ぎ苗を活着促進させるための好適な環境に保つことができる。
【０００６】
【実施例】
本発明の一実施例を図面と共に説明する。本実施例の順化装置の正面側断面視図を図１に、横断面視図を図２に、側面側断面視図を図３にそれぞれ示す。本実施例の順化装置の構造的特徴は断熱性パネルで構成した順化装置の外壁１の内部に熱伝導性の高い材質で構成した内壁２を設け、外壁１と内壁２との間に作られた空間に冷暖房空気を循環させることである。そして、内壁２内には複数段の収納棚３を設け、各収納棚３上に接ぎ苗を植え付けたプラグトレー５が配置される。収納棚３の段数は特に限定がなく図示の例では４段配置されたものである。収納棚３は板を格子状に配置して、隣接する板間は隙間が設けられているので、収納棚３の上下方向には空気が流通可能であり、外壁１と内壁２との間に作られた空間に配置される循環ファン（庫内ファン１３）の作動により内壁２内全体の雰囲気を同一条件とすることができる。前述したように、外壁１と内壁２との間には冷暖房空気の循環風路があり、冷暖房空気は熱伝導性の高い材質で構成された内壁２を介して接ぎ苗収納室内の温度制御が行われる。
【０００７】
冷暖房空気は順化装置の頂部外壁１に設置される冷凍機６と加熱ヒータ７により形成される。冷凍機６はコンデンサ９、コンデンサ９用庫外ファン１０、コンプレッサー１１、蒸発器１２および庫内ファン１３とからなり、庫内ファン１３と蒸発器１２は外壁１と内壁２の間の空間に配置される。また、加熱ヒータ７も前記庫内ファン１３と蒸発器１２近傍の外壁１と内壁２の間の空間に配置される。そして庫内ファン１３の作動で外壁１と内壁２の間の空間内の空気が循環する。このとき、冷凍機６の蒸発器１２が作動中であると冷却空気が得られ、加熱ヒータ７が作動中であると加熱空気が得られる。収納棚３上部にはプラグトレー５の接ぎ苗を照明するための人工照明灯１５（１０００Ｌｕｘ以上）が設けられる。  また、図４に示すように、順化装置の二重壁構造の一側壁には内壁２内部、すなわち内室１９より外壁１外部に連通する吸気口２０を設け、該側壁と対向する順化装置側壁には内壁２内部より外壁１外部に連通する排気口２１、該排気口２１内に排気ファン２２を設ける。また、吸気口２０の吸い込み口にはダンパー２３を設ける。そして、内壁２内部の適宜箇所、望ましくは中央空間にＣＯ2濃度センサー２５および温度センサー２６を設ける。
【０００８】
また、本実施例では図１または図３に示すように二重側壁構造の側壁を持つ順化装置の内室１９の底部に冷暖房用空気吹き出し方向と平行にスノコ状の架台３２を設けた構成とすることもできる。図５に順化装置底部の部分拡大図を示すように、内室１９の底部を通過する風路をスノコ状の架台３２と順化装置の外壁１とで構成する。また、図６に示すように内壁２より内室１９内に熱伝導ができるように底部内壁２に冷暖房空気流が接触できるようにスノコ状架台３２の天板３３は間隔をあけておくことが好ましい。こうして、スノコ状架台３２は内室１９の支持架台機能と、内室１９下部風路を構成する機能を達成することができ、温度調節空気の流れが平均化して、内室１９内の温度ムラが減少する。また、本実施例では内室１９下部にも冷暖房空気の風路を設けたため、内室１９を構成する内壁２の六側壁面より熱伝導ができ、温度コントロールの応答が迅速に行える効果もある。
【０００９】
また、接ぎ苗の順化装置は接ぎ苗を植え付けたプラグトレー５を載置した収納棚３を多数段載せることができる活着促進台車３５（図３参照）を内室１９内に収めて、順化処理を行うが、本実施例の活着促進台車３５では図３のＡ部の拡大図である図７（図７（ａ）は平面図、図７（ｂ）は側面側断面視図）に示すように接ぎ苗を植え付けたプラグトレー５を載せる収納棚３の端面近く（好ましくは活着促進台車３５の収納棚３の前面もしくは全周）で前記台車３５の枠３６の隣接位置などに凹状の溝３７を設けておくと、接ぎ苗を植え付けたプラグトレー５より灌水した水がにじみ出ても前記凹状の溝３７から下部に設けた漏斗３９、シュートホース４０などで床まで汚水を導くことがてきる。こうして、従来技術のように、上段の収納棚３より汚れた水が落下し、下段の収納棚３上の接ぎ苗に飛散することにより接ぎ苗の生育に悪影響を与えることあるいは作業環境を悪くする問題点が解消される。
【００１０】
また、最上段の収納棚３部分には湿度制御（９０％以上）のための加湿器１６（図１参照）が配置され、加湿器１６から適宜の収納棚３に向けて噴霧水を微細液滴で噴霧できるようにスプレノズル１７を端部に備えた配管１８が配置されている。本実施例の順化装置は３坪程度の広さの内室１９の面積を有するものなので、４系統以上の液滴噴霧用の配管１８を用いて、その先端のスプレノズル１７から微細液滴を適宜の内室１９内の空間に分配して噴霧する構成を採用している。そのため、内室１９内全体に噴霧液滴をまんべん無く供給することができ、内室１９内での局所加湿が無く、湿度ムラも少なくなる。また、加湿器１６は液滴粒径が細かい超音波式のものを用いる。しかしこれに限定されず、気化式、蒸気式、遠心式などのいかなる種類の加湿器１６を用いても良い。
【００１１】
本実施例によると、冷暖房空気の循環する空間（外壁１と内壁２との間の空間）と加湿空間（内室１９）とが隔壁により隔てられているため、加湿空間が除湿されず高湿度維持が可能となり、接ぎ苗の活着率が高まる。それだけでなく、上記構成により内室１９内は過大な風速の冷暖房空気流にさらされることなく、局所加湿にならず内室１９内の湿度ムラを少なくすることもできる。また、内室１９内全体に配管１８を介して加湿用の液滴が供給されるので、湿度ムラも少ない。なお、本実施例では加湿器１６本体は、内室１９内部に設置してあるが、順化装置の天井外壁１の上部に設置して内室１９に通じるダクトを介して内室１９内に微細液滴を供給する構成にしても良い。
【００１２】
また、図１〜図３に示すように、加湿用微細液滴の配管の設置された対向する一対の側壁面と直交する両側面に微風ファン（拡散ファン）４２を設けても良い。この場合は微風ファン４２による風で微細液滴の蒸発促進と内室１９内の湿度の均一性が向上する。また、微風ファン４２による軽い適度な送風は植物の蒸散を図り、その成育促進につながる。本実施例での微風ファン４２は一定のインターバルをもって、かつ、微風ファン４２ａと微風ファン４２ｂは図８に示すように交互に運転させる方法を採用してもよい。この場合は加湿用の配管１８からの微細液滴の噴霧による分散と微風ファン４２ａ、４２ｂの微細液滴の拡散による相乗効果で湿度のムラの解消効果がより高まる。このように、本実施例で微風ファン４２を用いて軽い適度な送風を行うことで、従来冷暖房用の循環ファンで接ぎ苗の収納された内室１９内に拡散させていた風は風速が大きすぎて、接ぎ苗をしおらす原因になっていた問題点が解消できた。
【００１３】
また、図９に本実施例の順化装置の内室１９内の雰囲気温度制御回路を示す。冷却用スイッチ（ＳＳ1）および加熱用スイッチ（ＳＳ2）を入れると、温度調節器３０は温度センサー２６により測定される内室１９内の雰囲気温度が設定温度（２８℃程度）より高い場合には、Ｘ1リレーをＯＮさせ、また、コンプレッサー開閉器（５２Ｃ）をＯＮさせ、その結果冷凍機６が作動開始し、冷却運転が開始する。また、内室１９内の雰囲気温度が設定値に低下すると、Ｘ1リレーがＯＦＦとなり冷凍機６が停止する。もし、内室１９内の雰囲気温度が設定温度より低ければ加熱ヒータ開閉器（ＭＣ）がＯＮし、加熱ヒータ７が作動し、内室１９内が加熱される。このように１つの温度調節器３０により冷凍機６の運転と加熱ヒータ７の通電を制御し、温度制御を行うことができる。なお、冷凍機６の運転と加熱ヒータ７の作動は同時に行われないようにインターロックされる。
【００１４】
こうして、１つの温度調節器３０によって加熱ヒータ制御と蒸発器制御を同時に行い、適正温度を効率的に保持できる。また、冷凍機６の庫内ファン１３を蒸発器１２の冷却用に用いるのみならず、加熱ヒータ７の暖房用ファンとしても用いることができるので、設備費用のコストダウンが図れる。なお、図９において、ＴＭは除霜タイマ、ＲＹ1、ＲＹ2はリレー、５１Ｃはサーマルリレー、ＣＭはコンプレッサー、Ｘ1はリレー、ＳＶは電磁弁、ＦＭCはコンデンサ９用の庫外ファン１０のモーター、ＦＭEは蒸発器１２用の庫内ファン１３のモーターを表す。
【００１５】
本実施例では、上記したように冷凍機６と庫内ファン１３または加熱ヒータ７と庫内ファン１３を作動させると接ぎ苗活着に最適な温度（２８℃程度）の温度調節用の冷暖房用空気が形成され、この冷暖房空気を外壁１と内壁２からなる二重壁間の空間に循環させると、熱伝導率の高い内壁２を介して、内室１９内の雰囲気が冷却または加熱制御され、内室１９内に収納されている接ぎ苗を適切な雰囲気温度で生育させることができる。しかも、この冷暖房空気は直接内壁２内、すなわち内室１９を流れるものではないので、冷暖房空気の風速により、接ぎ苗のしおれ発生がなく、活着が良好となる。これは従来の順化装置が温度調節用空気を接ぎ苗を収納した順化室内に直接循環させていたため、加湿空気にしても接ぎ苗をしおらす原因となり、活着率が低かったことと対照的である。本実施例の接ぎ苗の活着率は９５〜９８％であった。
【００１６】
また、従来の順化装置は９０％以上の高湿度のもとで冷凍機６を運転していたので、冷凍機６の蒸発器１２に霜が付着し易く運転効率が悪かったが、本実施例では冷凍機６は内室１９に直接臨んでいないので、内室１９の高湿度雰囲気により、冷凍機６に霜が付くことも無く、その冷却効率が高くなり、省エネルギーとなる。また、冷凍機６を天井上部の外壁１に設けているので、庫内容積を有効に利用できる。さらに、加熱用ヒータ７の暖房用ファンとして冷凍機６の蒸発器１２用の庫内ファン１３を利用するので、設置スペースの節約、および、効率的運転が可能となる。
【００１７】
本実施例の順化装置では、接ぎ木後、接ぎ苗の活着促進のため好適環境を保つため、前記外壁１と内壁２の二重構造からなる空間を設けた順化装置側面の一面に内室１９より外壁１に連通する吸気口２０と、該側面と対向する側面の外壁１と内壁２を貫通する排気口２１と該排気口２１内に排気ファン２２を設けているので、接ぎ苗を収納する内室１９に新鮮空気を取り入れることができる。また、内室１９に設けたＣＯ2濃度センサー２５のＣＯ2濃度測定値とその設定値との対比により排気ファン２２を運転してＣＯ2濃度を一定以上に保ち、かつ必要なら新鮮な空気を内室１９へ取り入れることができ、ＣＯ2濃度も低くならず接ぎ苗の炭酸同化作用も旺盛となり、接ぎ苗の生育も良好となる。また、適時内室１９内の空気を換気することができ、カビの発生などを防止することもできる。従来の順化装置では接ぎ苗の配置されている室内が低ＣＯ2濃度になったり、また、高温多湿のためウドンコ病が発生しやすい環境になり易く、接ぎ苗の生育不調および病気が発生しがちであったが、本実施例の装置ではそのような不具合は解消された。
【００１８】
【発明の効果】
本発明によれば、冷暖房空気の循環する空間（外壁１と内壁２との間の空間）と加湿空間（内室１９）とが隔壁により隔てられているため、加湿空間が除湿されず高湿度維持が可能となって接ぎ苗の活着率が高まり、また、内室１９内に収納された接ぎ苗は冷暖房空気流を受けないのでしおれ発生がない。しかも、内室１９内に冷暖房空気流が入り込まず、更に、内室１９内全体に配管１８を介して加湿用の液滴が供給されるので、局所加湿にならず内室１９内の湿度ムラが少なくなる。
【図面の簡単な説明】
【図１】  本発明の一実施例の接ぎ苗順化装置の正面側断面視図。
【図２】  図１の接ぎ苗順化装置の横断面視図。
【図３】  図１の接ぎ苗順化装置の側面側断面視図。
【図４】  図１の接ぎ苗順化装置の側壁面の吸気口、排気口部分の側面側断面視図。
【図５】  図１の接ぎ苗順化装置の下部コーナー部の拡大断面図。
【図６】  図１の接ぎ苗順化装置のスノコ状架台部分の斜視図。
【図７】  図１の接ぎ苗順化装置のプラグトレー５を載せた収納棚３の端面近くの拡大平面図と拡大側面側断面視図。
【図８】  図１の接ぎ苗順化装置の一対の微風ファンの運転タイミングチャートの図。
【図９】  本発明の一実施例の接ぎ苗順化装置の内室内の雰囲気温度制御回路図。
【符号の説明】
１…外壁、２…内壁、３…収納棚、５…プラグトレー、６…冷凍機、７…加熱ヒータ、９…コンデンサ、１０…庫外ファン、１１…コンプレッサー、１２…蒸発器、１３…庫内ファン、１５…人工照明灯、１６…加湿器、１７…スプレノズル、１８…配管、１９…内室、２０…吸気口、２１…排気口、２２…排気ファン、２３…ダンパー、２５…ＣＯ2濃度センサー、２６…温度センサー、３０…温度調節器、３２…スノコ状架台、３３…スノコ状架台の天板、３５…活着促進台車、３６…活着促進台車枠、３７…凹状の溝、３９…漏斗、４０…シュートホース、４２…微風ファン（拡散ファン）
【図１】
0003674616.tif 000002
【図２】
0003674616.tif 000003
【図３】
0003674616.tif 000004
【図４】
0003674616.tif 000005
【図５】
0003674616.tif 000006
【図６】
0003674616.tif 000007
【図７】
0003674616.tif 000008
【図８】
0003674616.tif 000009
【図９】
0003674616.tif 000010